(57)【要約】【課題】簡易な手法により、小型で、かつ受信感度のよいアンテナ装置及び電波受信機器を提供する。【解決手段】磁性材料で形成された板状部材７１ａを複数積層してなるコア７１の両端部に、コア７１の端部を保護する保持部７５１とコイル線材７２ａを巻きつける際のガイドとなるとともにコイル７２の端部を規制するガイド部７５５とを備える保持部材７５を被せ、コア７１の中央部にコイル線材７２ａを直接巻きつけることによりコイル７２を構成する。【選択図】図５
2010199952.tif 000002
【特許請求の範囲】
【請求項１】
磁性材料で形成された板状部材を複数積層してなるコアと、
このコアの中央部にコイル線材を直接巻きつけることにより構成されたコイルと、
前記コアの端部のうち、前記コイルから突出する部分を保護する保持部と、前記コイル線材を巻きつける際のガイドとなるとともに前記コイルの端部を規制するガイド部とを備えている保持部材と、
を有することを特徴とするアンテナ装置。
【請求項２】
前記保持部材は、樹脂により形成されていることを特徴とする請求項１に記載のアンテナ装置。
【請求項３】
前記保持部材は、樹脂に磁性粉を混入してなる磁性材料により形成されていることを特徴とする請求項１又は請求項２に記載のアンテナ装置。
【請求項４】
前記保持部材は、前記コアの延在方向に平行して設けられた磁気的な間隙部を備えていることを特徴とする請求項２に記載のアンテナ装置。
【請求項５】
前記コアは、本体ケース内に、本体ケースの底面に対して平行に配置されていることを特徴とする請求項１から請求項４のいずれか一項に記載のアンテナ装置。
【請求項６】
前記コアは、本体ケース内に、本体ケースの底面に対して直交するように配置されていることを特徴とする請求項１から請求項４のいずれか一項に記載のアンテナ装置。
【請求項７】
前記コアは、本体ケース内に、本体ケースの底面に対して一定の角度を持って配置されていることを特徴とする請求項１から請求項４のいずれか一項に記載のアンテナ装置。
【請求項８】
前記各板状部材の端部は、前記コアの延在方向で、かつ、前記各板状部材の表面と平行な方向に、互いにずれて積層されていることを特徴とする請求項１から請求項７のいずれか一項に記載のアンテナ装置。
【請求項９】
前記各板状部材は、前記コアの延在方向の長さ寸法がそれぞれ異なるものであり、前記コアの延在方向の端部が、前記各板状部材の表面と平行な方向に、ずれて積層されるように配置されていることを特徴とする請求項１から請求項７のいずれか一項に記載のアンテナ装置。
【請求項１０】
請求項１から請求項９のいずれか一項に記載のアンテナ装置と、
このアンテナ装置が内部に配置された中空柱状の本体ケースと、
この本体ケースの一端側開口部を閉塞する透明部材と、
前記本体ケースの他端側開口部を閉塞する閉塞部材と、
を備えていることを特徴とする電波受信機器。
【発明の詳細な説明】
【技術分野】
【０００１】
本発明は、アンテナ装置及び電波受信機器に関するものである。
【背景技術】
【０００２】
従来、時刻情報を含む標準電波を受信するアンテナ装置を備え、自動的に現在時刻を修正する電波時計等の電波受信機器が知られている。そして、例えば電波時計において標準電波を受信するアンテナ装置としては、受信感度のよい磁性材料であるアモルファス金属やフェライト等からなるコアにコイルが巻回されてなるアンテナ構造体を備えるものが多く用いられている。
【０００３】
アンテナ構造体は、コアの長さが長く電波受信面積が大きいほど、また、コイルを多く巻くほど受信感度が向上する。
ところで、腕時計型の電波時計のような小型の電波受信機器にアンテナ構造体を組み込む場合には、その電波受信機器全体が小さなサイズであることから、アンテナ構造体の収納スペースに限界があるため、きわめて小型サイズのアンテナ構造体を用いる必要がある。
【０００４】
そこで、本件出願人は、アンテナ構造体を小型化した場合でも受信感度を向上させる構成として、アモルファス薄膜等の板状部材を複数積層してコアを形成する構成を提案している（例えば、特許文献１参照）。
【先行技術文献】
【特許文献】
【０００５】
【特許文献１】特開２００８−１４１３８７号公報
【発明の概要】
【発明が解決しようとする課題】
【０００６】
しかしながら、特許文献１に記載されている技術では、小型化を実現可能なアンテナ装置を構成できるという利点を備えている反面、コアを構成している板状部材がばらばらにならないようにコア全体をアンテナケースに収納し、その上からコイルを巻回しているため、そのアンテナケースの厚み分だけコイル部分の厚みが厚くなってしまうという問題がある。
【０００７】
そこで、本発明は以上のような事情に鑑みてなされたものであり、簡易な手法により、小型で、かつ受信感度のよいアンテナ装置及び電波時計を提供することを目的とするものである。
【課題を解決するための手段】
【０００８】
前記課題を解決するために、請求項１に記載のアンテナ装置は、
磁性材料で形成された板状部材を複数積層してなるコアと、
このコアの中央部にコイル線材を直接巻きつけることにより構成されたコイルと、
前記コアの端部のうち、前記コイルから突出する部分を保護する保持部と、前記コイル線材を巻きつける際のガイドとなるとともに前記コイルの端部を規制するガイド部とを備えている保持部材と、を有することを特徴としている。
【０００９】
請求項２に記載の発明は、請求項１に記載のアンテナ装置において、
前記保持部材は、樹脂により形成されていることを特徴としている。
【００１０】
また、請求項３に記載の発明は、請求項１又は請求項２に記載のアンテナ装置において、
前記保持部材は、樹脂に磁性粉を混入してなる磁性材料により形成されていることを特徴としている。
【００１１】
また、請求項４に記載の発明は、請求項１から請求項３のいずれか一項に記載のアンテナ装置において、
前記保持部材は、前記コアの延在方向に平行して設けられた磁気的な間隙部を備えていることを特徴としている。
【００１２】
また、請求項５に記載の発明は、請求項１から請求項４のいずれか一項に記載のアンテナ装置において、
前記コアは、本体ケース内に、本体ケースの底面に対して平行に配置されていることを特徴としている。
【００１３】
また、請求項６に記載の発明は、請求項１から請求項４のいずれか一項に記載のアンテナ装置において、
前記コアは、本体ケース内に、本体ケースの底面に対して直交するように配置されていることを特徴としている。
【００１４】
また、請求項７に記載の発明は、請求項１から請求項４のいずれか一項に記載のアンテナ装置において、
前記コアは、本体ケース内に、本体ケースの底面に対して一定の角度を持って配置されていることを特徴としている。
【００１５】
また、請求項８に記載の発明は、請求項１から請求項７のいずれか一項に記載のアンテナ装置において、
前記各板状部材の端部は、前記コアの延在方向で、かつ、前記各板状部材の表面と平行な方向に、互いにずれて積層されていることを特徴としている。
【００１６】
また、請求項９に記載の発明は、請求項１から請求項７のいずれか一項に記載のアンテナ装置において、
前記各板状部材は、前記コアの延在方向の長さ寸法がそれぞれ異なるものであり、前記コアの延在方向の端部が、前記各板状部材の表面と平行な方向に、ずれて積層されるように配置されていることを特徴としている。
【００１７】
また、請求項１０に記載の電波受信機器は、
請求項１から請求項９のいずれか一項に記載のアンテナ装置と、
このアンテナ装置が内部に配置された中空柱状の本体ケースと、
この本体ケースの一端側開口部を閉塞する透明部材と、
前記本体ケースの他端側開口部を閉塞する閉塞部材と、
を備えていることを特徴としている。
【発明の効果】
【００１８】
この発明によれば、コア全体を保持する保持部材を設けなくても板状部材がばらばらにならないため、コイル線材をコアに直接巻きつけることができる。このため、コイル部分の厚みが厚くなるのを抑え、アンテナ装置の小型化を図ることができる。これにより、アンテナ装置をより小さな装置内に組み込むことが可能となる。
【図面の簡単な説明】
【００１９】
【図１】本実施形態のアンテナ装置を備えた電波受信機器の一例である電波腕時計の概略構成を示す正面図である。
【図２】図１に示す電波腕時計のII―II線断面図である。
【図３】図１に示す電波腕時計の内部構成を示す分解斜視図である。
【図４】図１に示す電波腕時計の構成部品のうち、時計ガラス部材文字板及び上部ハウジングを外した状態の表面側内部を示す平面図である。
【図５】本実施形態のアンテナ装置を示す断面図である。
【図６】図５に示すアンテナ装置の斜視図である。
【図７】コア全体を被覆する保持部材を備える従来のアンテナ装置の一例を示す断面図である。
【図８】コア全体を被覆する保持部材を備える従来のアンテナ装置の一例を示す断面図である。
【図９】ガイド部材が別体として設けられている従来のアンテナ装置の一例を示す断面図である。
【図１０】保持部材の変形例を示す斜視断面図であり、（ａ）は、一端に開口部を有するコ字状の保持部材を示し、（ｂ）は、上部に溝部を有する保持部材を示す。
【図１１】（ａ）は、本実施形態のアンテナ装置をコアが時計ケースの底面に対して平行となるように配置した状態を示す模式的な断面図であり、（ｂ）は、本実施形態のアンテナ装置をコアが時計ケースの底面に対して垂直となるように配置した状態を示す模式的な断面図であり、（ｃ）は、本実施形態のアンテナ装置をコアが時計ケースの底面に対して斜めとなるように配置した状態を示す模式的な断面図であり、（ｄ）は、本実施形態のアンテナ装置をコアが時計ケースの底面に対して斜めとなるように配置した状態を示す模式的な断面図である。
【図１２】本実施形態のアンテナ装置の一変形例を示す断面図である。
【図１３】（ａ）は、同じ大きさの板状部材の端部をずらして積層したコアの一例を示す側面図であり、（ｂ）は、異なる大きさの板状部材の端部をずらして積層したコアの一例を示す側面図ある。
【発明を実施するための形態】
【００２０】
以下、図面を参照しつつ、本発明に係るアンテナ装置及びアンテナ装置を適用した電波受信機器の好適な実施形態について具体的に説明する。なお、本発明の範囲は図示例に限定されない。
【００２１】
先ず、図１から図５を参照しつつ、本発明に係るアンテナ装置及び電波受信機器の第１の実施形態を説明する。なお、本実施形態では、電波受信機器としての電波腕時計にアンテナ装置を搭載する場合を例として説明する。
【００２２】
図１は、本発明に係るアンテナ装置を備えた電波腕時計を示す正面図である。また、図２は、図１のII−II線断面図であり、図３は、図１の電波腕時計の内部構成を示す分解斜視図である。
【００２３】
図３に示すように、電波腕時計１００には、短柱形状に形成された本体ケース（以下「時計ケース１」という。）が設けられている。時計ケース１は、ステンレスやチタン等の金属その他の導電性部材で形成されている。
時計ケース１の内側は上下が開口した中空状になっており、この中空部分が各種部品を収納する収納空間を与える収納部となる。
【００２４】
この時計ケース１の図１における上下両端部、つまり時計の１２時方向側端部及び６時方向側端部には、バンド取付部１２（図２参照）が形成されており、各バンド取付部１２には時計バンド２が取り付けられている。また、時計ケース１の外周部には、時刻合わせの指示などの種々の操作指示が入力される複数の操作ボタン１３が設けられている。
【００２５】
図２に示すように、この時計ケース１の視認側（表面側：図２における上側）には、視認側の開口部を閉塞するように非導電性の透明材料であるガラスで形成された透明部材としての時計ガラス部材３が防水リング１４を介して装着されている。また、時計ケース１の内部であって時計ガラス部材３の下方には、時計ケース１の内周に沿って見切部材４が配置されている。
【００２６】
また、時計ケース１の視認側とは反対側（裏面側：図２における下側）には、図２に示すように、当該時計ケース１の下側の開口部を閉塞する閉塞部材としての裏蓋部材５が防水リング１５を介して取り付けられている。裏蓋部材５は、ステンレスやチタン等の金属その他の導電性部材で形成されている。
【００２７】
また、この時計ケース１の内部には、例えば樹脂等によって形成されたハウジング６が設けられている。ハウジング６は、上部ハウジング６１と下部ハウジング６２とから構成されており、上部ハウジング６１と下部ハウジング６２との間には、指針３３である秒針、分針、時針を運針させる図示しない時計ムーブメントや各種電子部品８１等を実装した回路基板８が配置されている。また、ハウジング６内には、各部を駆動させるためのモータ８２（図２参照）、電波腕時計１００の各機能部に電力を供給するためのバッテリー８３（図４参照）等が設けられている。
なお、回路基板８に実装される回路要素としては、例えば、電波腕時計１００の各部を制御するＣＰＵ等の制御ＩＣ、アンテナ装置７によって検出された電気信号を増幅・復調して標準電波に含まれる時刻データを取り出す受信回路、発振器を有して現在時刻を計時する計時回路等（いずれも図示せず）がある。
また、図２及び図４に示すように、下部ハウジング６２における電波腕時計１００の１２時側には、アンテナ装置７を保持するためのアンテナ保持部６２ａが設けられている。アンテナ保持部６２ａには、接着剤６５等を介してアンテナ装置７が保持されている。
【００２８】
ハウジング６は、ハウジング支持部材６３によって電波腕時計１００の裏面側から支持され、時計ケース１内に固定されている。なお、ハウジング支持部材６３は必須の構成要素ではなく、例えば、ハウジング支持部材６３を設けずに、裏蓋部材５によってハウジング６を支持するようにしてもよい。
【００２９】
また、時計ケース１の内部には、時計ガラス部材３の裏面側（図２における下側の面）に対向して文字板３０が配置されている。
図１に示すように、文字板３０の表面側の周縁部には、時計の１時から１２時に対応する１２個の時字部材３１がほぼ等間隔に設けられている。
【００３０】
文字板３０のほぼ中央部には図示しない軸孔が形成されており、指針軸３２が軸孔を通して電波腕時計１００の裏面側から表面側に突出している。指針軸３２には時計ガラス部材３と文字板３０との間に配置された時針や分針等の指針３３が取り付けられている。前記時計ムーブメントは、この指針軸３２に取り付けられた指針３３を文字板３０の上方で運針させるようになっている。
【００３１】
ここで、本実施形態におけるアンテナ装置７の構成について図５及び図６を参照しつつ具体的に述べる。
【００３２】
図５及び図６に示すように、アンテナ装置７は、長尺なコア７１と、このコア７１の中央部にコイル線材７２ａを直接巻きつけることにより構成されたコイル７２と、コア７１の両端部を被覆する一対の保持部材７５とを備えており、コア７１内を外部から送られてきた電波が通過すると、コイル７２に誘起電流が発生するように構成されている。コイル７２を構成するコイル線材７２ａの端部は、後述するリードフレーム７７を介して回路基板８上に設けられた接続端子８５（図２参照）と電気的に接続されており、アンテナ装置７により得られた信号が回路基板８上の受信回路に送られるようになっている。
【００３３】
コア７１は、ハウジング６の厚み方向（すなわち、電波腕時計１００の厚み方向）に重畳して配置された複数の板状部材７１ａから形成されている。なお、複数の板状部材７１ａは、積層状態を維持できるように接着剤等により互いに固定されていることが好ましい。板状部材７１ａを接着固定する接着剤としては、例えば、非導電性であって、熱によって硬化する熱硬化性の接着剤を好適に用いることができる。なお、板状部材７１ａを接着固定する接着剤はここに例示したものに限定されない。
【００３４】
各板状部材７１ａは、アモルファス合金等の透磁率（magnetic permeability）（磁場または磁界の強さ H と磁束密度 B との間の関係を B = μ H で表わした時の比例定数 μをいう）または比透磁率（真空の透磁率 μ0 との比 μs=μ/μ0 をいう）が高い磁性材料により形成されている。
なお、コア７１を形成する材料は、アモルファス合金に限定されず、薄い板状に形成可能な磁性材料であれば適用可能である。
【００３５】
図５に示すように、コア７１の両端部には、それぞれ保持部材７５が被せられている。保持部材７５は、樹脂により形成されており、コイル７２から突出するコア７１の端部を保持する保持部７５１と、コイル線材７２ａをコア７１の中央部に巻きつける際のガイドとなるとともにコイル７２の端部を規制するガイド部７５５とを備えて構成されている。
【００３６】
保持部７５１は、コア７１の端部の断面積よりも僅かに大きい開口部を有しコア７１の端部を収納する凹部７５２を備えている。保持部７５１は、板状部材７１ａを積層してなるコア７１の端部をこの凹部７５２内に収納することにより、コア７１の端部を外部からの衝撃による破損等から保護するようになっている。
【００３７】
本実施形態において、一方の保持部７５１の上側（電波腕時計１００の視認側）の面上には、図６に示すように、２つの接続用凸部７５６が立設されている。この接続用凸部７５６には、それぞれ後述するリードフレーム７７が係合されている。
なお、接続用凸部７５６が設けられる位置や形状はここに示したものに限定されない。また、接続用凸部７５６はどちら側の保持部材７５に設けられていてもよい。アンテナ装置７の配置の仕方、アンテナ装置７を配置するハウジング６の構成に応じて柔軟な接続を可能とするように、両方の保持部材７５にそれぞれ接続用凸部７５６を設けるようにしてもよい。
【００３８】
また、ガイド部７５５は、保持部７５１よりも上側（電波腕時計１００の視認側）に張り出すとともに、コア７１の延在方向に対して直交する方向に延在するように設けられている。
本実施形態において、コイル線材７２ａをコア７１の中央部に巻きつけてコイル７２を構成する際、一方側の保持部材７５のガイド部７５５から他方側の保持部材７５のガイド部７５５までの間が巻き線を施す部分となり、ガイド部７５５によって、コイル７２の両端部が規制される。このため、コイル７２の端部においてコイル線材７２ａがずれることがなく、コイル線材７２ａを端から端まできれいに巻きつけることができる。
ガイド部７５５におけるコア７１の端部側には、ガイド部７５５の延在方向にほぼ直交しコア７１の延在方向に突出する突当部７５７が形成されている。この突当部７５７には、後述するリードフレーム７７が突き当てられて、リードフレーム７７を位置決め固定するようになっている。
【００３９】
リードフレーム７７は、ほぼＬ字型に形成された薄板状の部材であり、このリードフレーム７７の曲折部又はその近傍には接続用凸部７５６が係合する係合孔７７ａ（図６参照）が設けられている。リードフレーム７７の一端側は、突当部７５７に突き当てられて、位置決め固定されている。また、リードフレーム７７の他端側は回路基板８上に設けられた接続端子８５（図２参照）と接続されている。係合孔７７ａに接続用凸部７５６を係合し、この接続用凸部７５６にコイル線材７２ａの端部を係止することによって、コイル７２がリードフレーム７７を介して接続端子８５と電気的に接続されるようになっている。
接続用凸部７５６とリードフレーム７７との係合部分及びリードフレーム７７と接続端子８５との接続部分は、例えば半田付け等により固定されている。なお、接続用凸部７５６及びリードフレーム７７は必須のものではなく、コイル線材７２ａの両端部を直接接続端子８５と接続してもよい。
【００４０】
次に、本実施形態に係るアンテナ装置７及びこれを備える電波腕時計１００の作用について説明する。
電波腕時計１００の組み立て時においては、まず、板状部材７１ａを複数枚積層し、これらが一体となるように接着剤で固定してコア７１を形成する。次に、このコア７１の両端部をそれぞれ保持部材７５の凹部７５２に収納して、コア７１の両端部を保持部材７５によって被覆する。その後、一方側の保持部材７５のガイド部７５５から他方側の保持部材７５のガイド部７５５までの間にコイル線材７２ａを順次巻きつけていき、コイル７２を形成する。これによりアンテナ装置７が完成する。さらに、保持部材７５の接続用凸部７５６にリードフレーム７７を係合し、コイル線材７２ａの端部をこの接続用凸部７５６に係止してリードフレーム７７と接続させる。
【００４１】
その後、完成したアンテナ装置７をハウジング６のアンテナ保持部６２ａにアンテナ装置７を配置する。そして、ハウジング６をハウジング支持部材６３により支持しながら、時計ケース１内に収納し、さらに、裏蓋部材５を時計ケース１の裏面側の開口部に嵌め込んで裏面側の開口部を閉塞する。
【００４２】
電波腕時計１００による標準電波受信時においては、電波の磁界成分が、電波を遮蔽しない材料によって形成された非導電性の部材である時計ガラス部材３、文字板３０上等を透過して、アンテナ装置７のコア７１に進入する。そして、一方側のコア７１からアンテナ装置７に進入した磁束は、コア７１の他方側の端部へと通過する。この通過の際に、コア７１に巻回されたコイル７２に交流電流が誘導され（誘起電流）、これに伴ってコイル７２の両端に交流電圧が発生する。そして、この交流電圧がアナログ受信信号として図示しない受信回路に送られる。
そして、受信回路により、このアナログ受信信号について増幅、復調、デコード等の処理が行われ、デジタルの時刻データが取得される。電波腕時計１００は、取得された時刻データに基づいて、適宜現在時刻の修正を行う。
【００４３】
以上のように、本実施形態によれば、アンテナ装置７のコア７１を構成する複数の板状部材７１ａを接着剤等により固定し、板状部材７１ａをひとまとまりとなるように構成しているので、コア７１全体を保持する保持部材を設けなくても板状部材７１ａがばらばらにならない。このため、コイル線材７２ａをコア７１に直接巻きつけることができ、コイル７２部分の厚みが厚くなるのを抑えることができる。これにより、アンテナ装置７を限られた空間内にコンパクトに収納することができる。このため、アンテナ装置７を組み込んだ電波腕時計１００を小型化することが可能となる。
【００４４】
すなわち、従来のアンテナ装置は、例えば図７に示すように、コア９１、コイル９２、及びコア９１全体を被覆し保持する保持部材９３を備えていた。図７に示すアンテナ装置では、保持部材９３が上部保持部材９３１と下部保持部材９３２とからなり、上部保持部材９３１及び下部保持部材９３２の両端部はコア９１の端部を保護する端部保護部９３３となっている。また、上部保持部材９３１及び下部保持部材９３２のほぼ中央部は、コイル９２が形成される巻き線部９３４となっている。端部保護部９３３と巻き線部９３４との間には、コイル９２を形成する際の巻き線ガイドとなりコイル９２の端部を規制するガイド部９３５が一体的に形成されている。
このようなアンテナ装置では、コア９１のまわりを被覆する巻き線部９３４の上からコイル線材を巻きつけてコイル９２を形成することとなるため、コイル９２部分の厚みが厚くなり、これを薄くするためにはコイル９２の巻回数を少なくする等の対応をせざるを得なかった。
また、例えば図８に示すように、保持部材９４を、コア９１の端部を保護する端部保護部９４３と、コイル９２が形成される巻き線部９４４と、コイル９２を形成する際の巻き線ガイドとなるガイド部９４５を有する上部保持部材９４１と、端部保護部９４３に対応する部分にのみ設けられる下部保持部材９４２とを備える構成とした場合にも、巻き線部９４４を設ける分だけコイル９２部分の厚みが厚くなってしまう。
この点、本実施形態に示すアンテナ装置７のように、保持部材７５をコア７１の端部のみに設けて、コイル線材７２ａを直接コア７１に巻きつける構成とした場合には、図７又は図８に示す従来の構成をとる場合と比較して、コイル７２部分の薄型化を図ることができる。
【００４５】
また、本実施形態では、コイル線材７２ａをコア７１の中央部に巻きつける際のガイドとなるガイド部７５５がコア７１の端部を保護する保持部材７５に一体的に設けられている。このため、例えば、図９に示すように、コア９１の端部に上部保持部材９５１と下部保持部材９５２とからなる保持部材９５を被せて、コイル線材を巻きつける際のガイドとなるガイド部９５５をこれとは別体として設ける場合と比較して、部品点数が少なくて済む。これにより、コスト削減を図ることができるとともに、組立作業の効率化を図ることができる。
【００４６】
また、本実施形態では、コア７１の端部が保持部材７５によって保護されているので、外部からの衝撃等を受けてもコア７１の端部が欠ける等の損傷を受けることがない。
【００４７】
また、この保持部材７５を樹脂によって形成しているので、成形、加工が容易であり、また、保持部材７５をコア７１の端部に被せても、コア７１による電波の受信を阻害せず、アンテナ装置７の受信感度を損なわない。
【００４８】
また、アンテナ装置７は、コア７１が時計ケース１の底面に対して平行となるようにして時計ケース１内に配置されているので、時計ガラス部材３を通して時計ケース１内に入る電波を効率よく受信することができる。
【００４９】
なお、本実施形態では、各保持部材７５を１つの部材で構成される場合を例としたが、保持部材７５の構成はこれに限定されない。例えば、保持部材を上部保持部材と下部保持部材とから構成し、この上部保持部材と下部保持部材との間にコア７１の端部を挟みこむようにして保持する構成としてもよい。
【００５０】
また、保持部材を磁性材料で形成してもよい。保持部材を磁性材料で形成することにより、保持部材が磁束を集める集磁部材の役割を果たすことになり、受信感度を向上させることができる。
この場合、保持部材を形成する材料としては、例えば、アモルファス、フェライト等の磁性材料の粉末（磁性粉）を混入した合成樹脂等の材料等を適用することが可能である。なお、適用可能な磁性材料はここに例示したものに限定されない。
【００５１】
なお、上記のように、保持部材を磁性材料で形成した場合、材料に混入する磁性粉の種類や量等によっては、保持部材が導電性を持つこともありうる。保持部材が導電性を持つと、コアに流れた電流が保持部材に沿ってコアの周りを回るように流れてしまい、せっかく電波を受信しても損失が生じて、逆に受信感度が低下してしまうおそれがある。
そこで、このような損失を防止するために、保持部材に沿って電流が流れることのないように、保持部材の一部にコアの延在方向に平行して磁気的なギャップ（間隙部）を形成することが好ましい。
【００５２】
具体的には、例えば、図１０（ａ）に示すように、保持部材９７を一端に開口部９７ａを有するコ字状に形成し、その中にコア９６の端部を収納する。このように開口部９７ａを設けることにより、コア９６を通ってきた電波が保持部材９７に沿ってコア９６の周りを回るルートが開口部９７ａによって遮断されるため、損失を生じなくなる。なお、このように保持部材９７をコ字状に形成した場合には、コア７１の端部を保持部材９７に収納する際、コア７１を開口部９７ａからスライドさせることにより容易に嵌め込むことができ、便宜である。
また、例えば、図１０（ｂ）に示すように、保持部材９８の周面の一部に溝部９８ａを設けて、その中にコア９６の端部を収納する。このように溝部９８ａを設けることにより、コア９６を通ってきた電波が保持部材９８に沿ってコア９６の周りを回るルートが溝部９８ａによって遮断されるため、損失を生じなくなる。
なお、保持部材に磁気的なギャップ（間隙部）を設ける手法はここに例示したものに限定されない。例えば、開口部９７ａや溝部９８ａといった空間を設ける代わりに、保持部材９８の周面の一部に非導電性の樹脂等を埋め込んでもよい。このように非導電性の樹脂等を埋め込むことによっても電流がコア９６の周りを回るルートを物理的に遮断することができ、損失を生じなくなる。
【００５３】
また、本実施形態では、図１１（ａ）に示すように、コア７１が時計ケース１内に、時計ケース１の底面に対して平行に配置されるようにアンテナ装置７を配置している。このため、時計ガラス部材３側から入る電波を効率よく集めることができる。
なお、アンテナ装置７の配置の仕方はこれに限定されない。
例えば、図１１（ｂ）に示すように、コア７１が時計ケース１内に、時計ケース１の底面に対して直交するようにアンテナ装置７を配置してもよい。このように配置することにより、アンテナ装置７を時計ケース１の内壁に近づけて配置することができ、時計ケース１内の省スペース化に資する。
また、例えば、図１１（ｃ）及び図１１（ｄ）に示すように、コア７１が時計ケース１内に、時計ケース１の底面に対して一定の角度を持って配置されるようにアンテナ装置７を配置してもよい。このようにアンテナ装置７を斜めに配置することにより、体積効率が向上し、更なる省スペース化を実現することができる。また、アンテナ装置７に角度をつけることにより、時計ガラス部材３側から入る電波をより効率よく集めることができ、受信感度を向上させることもできる。
【００５４】
また、本実施形態では、コア７１を構成する板状部材７１ａ自体を接着剤で固定することにより一体化させる構成としたが、複数の板状部材７１ａからなるコア７１を一体化させる構成はこれに限定されない。
例えば、板状部材を積層して互いに接着固定しないまま、その両端部を保持部材に挿入し、一方の保持部材と他方の保持部材との間にコイル線材を巻きつけてコイルを形成し、このコイルに接着剤等を含浸させてコアを一体化させるようにしてもよい。
【００５５】
また、本実施形態では、コア７１が直線状に構成されている場合について説明したが、コアは直線状のものに限定されない。
例えば、図１２に示すように、コア１１１を構成する板状部材１１１ａのうちの１又は数枚の端部（すなわち、コイル１１２を巻き付けない部分）を折曲げてコア１１１の端部が複数に分かれるようにしてもよい。そして、凹部１１５を有する保持部１１４とガイド部１１６とを備える保持部材１１３の一端に凹部１１５に連通する係止用穴部１１７を形成し、この係止用穴部１１７に板状部材１１１ａのうちの折曲げられた部分を挿入し、係止する。このようにすることにより、コア１１１の端部が保持部材１１３から抜け難い構成とすることができる。この場合、コア１１１は、凹部１１５に収納される部分と、係止用穴部１１７に収納される部分とは、それぞればらばらにならないように接着剤等により固定されることが好ましい。さらに、これらコア１１１の端部が凹部１１５、係止用穴部１１７から抜けないように接着固定されることが好ましい。
なお、係止用穴部１１７は、貫通穴であってもよいし、貫通していない凹部であってもよい。また、係止用穴部１１７は、貫通穴である場合、コア１１１の端部がこの係止用穴部１１７から外部に突出していてもよい。
なお、係止用穴部１１７はアンテナ装置１１０を電波腕時計１００内に配置したときに時計ガラス部材３と対向する側の面に設けられることが好ましい。このように構成することにより、時計ガラス部材３の側からより効率よく電波を受信することができる。
【００５６】
また、本実施形態では、コア７１の端部が揃っている場合を例として説明したが、コアの端部がずれている場合でもよい。
例えば、図１３（ａ）に示すように、同じ大きさの板状部材１２１ａを、その端部がコア１２１の延在方向であり、かつ、各板状部材１２１ａの表面と平行な方向に、互いに少しずつずれて積層されるように配置してコア１２１を形成してもよい。
また、図１３（ｂ）に示すように、コア１３１の延在方向の長さ寸法がそれぞれ異なる板状部材１３１ａを、コア１３１の延在方向の端部が各板状部材１３１ａの表面と平行な方向に、少しずつずれて積層されるように配置してコア１３１を形成してもよい。
このように、コアの端部をずらして配置することにより、各板状部材以上の長さ・面積を有するコアを構成することができる。
【００５７】
また、ハウジング６等を形成する合成樹脂としては、例えば、エポキシ樹脂、フェノール樹脂、メラミン樹脂、ユリア樹脂、不飽和ポリエステル樹脂、ポリイミド樹脂、フラン樹脂、ポリブタジエン樹脂、アイオノマー樹脂、EEA 樹脂、AAS 樹脂（ASA 樹脂）、AS樹脂、ACS 樹脂、エチレン酢ビコポリマー、エチレンビニルアルコール共重合樹脂、ABS 樹脂、塩化ビニル樹脂、塩素化ポリエチレン樹脂、酢酸繊維素樹脂、フッ素樹脂、ポリアセタール樹脂、ポリアミド樹脂6,66、ポリアミド樹脂11,12 、ポリアリレート樹脂、熱可塑性ポリウレタンエラストマー、液晶ポリマー、ポリエーテルエーテルケトン、ポリサルフォン樹脂、ポリエーテルサルフォン樹脂、高密度ポリエチレン、低密度ポリエチレン、直鎖状低密度ポリエチレン、ポリエチレンテレフタレート、ポリカーボネート樹脂、ポリスチレン樹脂、ポリフェニレンエーテル樹脂、ポリフェニレンサルファイド樹脂、ポリブタジエン樹脂、ポリプロピレン樹脂、ポリプロピレン樹脂、メタクリル樹脂、メチルペンテンポリマー等の樹脂等を用いても良く、これらの中でも耐熱性、寸法安定性、強度等の点からフェノール樹脂、エポキシ樹脂等が好ましい。
【００５８】
また、上記実施形態では、アンテナ装置７を適用する電波受信機器が電波腕時計１００である場合を例として示したが、アンテナ装置７を適用可能な電波受信機器はこれに限られるものではなく、アンテナ装置７により電波を受信する構成のものであれば如何なるものであってもよい。例えば、固定式の電波時計や、小型ラジオ、携帯端末等にアンテナ装置７を適用してもよい。
【００５９】
その他、本発明が上記各本実施形態に限らず適宜変更可能であるのは勿論である。
【符号の説明】
【００６０】
１      時計ケース（本体ケース）
６      ハウジング
７      アンテナ装置
８      回路基板
３０      文字板
６２ａ  アンテナ保持部
７１    コア
７１ａ  板状部材
７２    コイル
７２ａ  コイル線材
７５    保持部材
９７ａ    開口部
９８ａ    溝部
１００  電波腕時計（電波受信機器）
７５１  保持部
７５５  ガイド部
【図１】
2010199952.tif 000003
【図２】
2010199952.tif 000004
【図３】
2010199952.tif 000005
【図４】
2010199952.tif 000006
【図５】
2010199952.tif 000007
【図６】
2010199952.tif 000008
【図７】
2010199952.tif 000009
【図８】
2010199952.tif 000010
【図９】
2010199952.tif 000011
【図１０】
2010199952.tif 000012
【図１１】
2010199952.tif 000013
【図１２】
2010199952.tif 000014
【図１３】
2010199952.tif 000015